(57)【要約】【課題】画像読取精度を向上させ、かつ原稿台ガラス（載置台ガラス）の強度の低下を防ぐことのできる画像読取装置及び画像形成装置を提供する。【解決手段】イメージセンサ１０１により、原稿台ガラス２に載置された原稿Ｄ２の及びシート搬送部により原稿台ガラス２に沿って搬送される原稿Ｄ１の画像を読み取るようにする。そして、原稿すくい部６により、シート搬送部により原稿台ガラス２に沿って搬送され、イメージセンサ１０１により画像が読み取られた原稿Ｄ１をシート搬送部側に案内すると共に、この原稿すくい部６を原稿台ガラス２一体に形成するようにする。【選択図】図２
2009159128.tif 000002
【特許請求の範囲】
【請求項１】
シートが載置される載置台ガラスと、シートを前記載置台ガラスに沿って搬送するシート搬送部と、前記載置台ガラスに載置されたシートの画像及び前記シート搬送部により前記載置台ガラスに沿って搬送されるシートの画像を読み取る画像読取手段と、を備えた画像読取装置において、
前記シート搬送部により前記載置台ガラスに沿って搬送されるシートの画像を前記画像読取手段が読み取る画像読取位置のシート搬送方向下流側に設けられ、前記画像読取手段により画像が読み取られたシートを前記シート搬送部側に案内するガイド部材を備え、
前記ガイド部材を前記載置台ガラスに一体に形成したことを特徴とする画像読取装置。
【請求項２】
前記ガイド部材を、前記載置台ガラスに一体に突設したことを特徴とする請求項１記載の画像読取装置。
【請求項３】
前記ガイド部材を、インサート成形により前記載置台ガラスに一体に形成したことを特徴とする請求項１記載の画像読取装置。
【請求項４】
前記載置台ガラスは、シートが載置される部分と前記シート搬送部により搬送されるシートが通過する部分とを備え、
前記ガイド部材を前記載置台ガラスの前記シートが載置される部分と前記シート搬送部により搬送されるシートが通過する部分との境となる部分に形成したことを特徴とする請求項１ないし３のいずれか１項に記載の画像読取装置。
【請求項５】
前記シート搬送部を開閉可能に設け、
前記シート搬送部に前記シート搬送部が閉じられた際、前記ガイド部材のシート搬送方向下流側に位置し、前記画像読取手段により画像が読み取られたシートを前記ガイド部材と共に前記シート搬送部側に案内する弾性部材を設けたことを特徴とする請求項１ないし４のいずれか１項に記載の画像読取装置。
【請求項６】
前記ガイド部材を前記載置台ガラスのシート搬送方向と直交する方向に形成したことを特徴とする請求項１ないし５のいずれか１項に記載の画像読取装置。
【請求項７】
前記ガイド部材の、前記載置台ガラスのシートが載置される部分側の側面を前記載置台ガラスにシートを載置する際の基準位置とすることを特徴とする請求項１ないし６のいずれか１項に記載の画像読取装置。
【請求項８】
前記請求項１ないし７のいずれか１項に記載の画像読取装置と、前記画像読取装置により読み取った画像情報に基づいて画像を形成する画像形成部と、を備えたことを特徴とする画像形成装置。
【発明の詳細な説明】
【技術分野】
【０００１】
本発明は、画像読取装置及び画像形成装置に関し、特にシート搬送部により搬送されて画像が読み取られたシートをガイド部材によりシート搬送部側に案内するように構成したものに関する。
【背景技術】
【０００２】
従来、デジタル複写機、プリンタ、ファクシミリ等の画像形成装置においては、画像形成部と、画像読取装置とを備え、画像形成部により、画像読取装置によって読み取った画像情報に基づいて画像を形成するようにしたものがある。
【０００３】
この画像読取装置の読み取り方法として、シートである原稿を原稿台ガラス上に載置した後、圧板により原稿を原稿台ガラスに密着させ、この状態で画像読取部を走査させることにより画像を読み取る方法（以下、固定読みという）がある。
【０００４】
また、原稿台ガラスの所定の画像読取位置の下方に画像読取部を固定し、この画像読取位置上を、自動原稿送り装置により原稿を一定の速度で搬送することにより、画像を読み取る方法（以下、流し読みという）がある。なお、このような流し読みの際、画像読取位置を通過した原稿は、画像読取位置の下流側に設けられたすくい部材によりすくい上げられた後、自動原稿送り装置内に搬送される。
【０００５】
ところで、このような従来の画像読取装置においては、搬送原稿を流し読みにて読み取る流し読取部と、原稿台ガラスに載置された原稿を固定読みにて読み取る固定読取部とを別々に設けているものがある（特許文献１参照）。
【０００６】
図８は、このような従来の画像読取装置の構成を示す図であり、図８において、８は固定読み取り用の原稿台ガラス、５は固定読み取り用の原稿台ガラス８とは別体に設けられた流し読み取り用の原稿台ガラスである。また、９は画像読取装置の筐体の一部である原稿すくい部材であり、この原稿すくい部材９により、固定読み取り用原稿台ガラス８と流し読み取り用原稿台ガラス５は支持される。
【０００７】
１０１は原稿画像を読み取るイメージセンサであり、このイメージセンサ１０１は、流し読みの際には、流し読み取り用の原稿台ガラス（以下、第１原稿台ガラスという）５の下方に位置する。なお、固定読みの際には、イメージセンサ１０１は、固定読み取り用の原稿台ガラス（以下、第２原稿台ガラスという）８の下方に位置する。
【０００８】
ここで、流し読みの際には、原稿Ｄ１が原稿送りローラ３２により、第１原稿台ガラス５に押し付けられながらイメージセンサ１０１の上方の画像読取位置４２を通過する。そして、この際、第１原稿台ガラス５を介してイメージセンサ１０１が原稿Ｄ１の画像を読み取る。なお、この後、画像読取位置４２を通過した原稿Ｄ１は原稿すくい部材９によって不図示の自動原稿送り装置内に搬送される。
【０００９】
また、図９は従来の他の画像読取装置の構成を示す図であり、図９において、２は流し読み取り用及び固定読み取り用の原稿台のガラスである。１１は原稿台ガラス２に形成され、主走査方向に延びる溝であり、この溝１１に原稿すくい部材１０が挿入されている。
【００１０】
ここで、流し読みの際には、原稿Ｄ１が原稿送りローラ３２により原稿台ガラス２の流し読取部側の部分に押し付けられながらイメージセンサ１０１の上方の画像読取位置４２を通過する。そして、この際、原稿台ガラス２を介してイメージセンサ１０１により原稿Ｄ１の画像が読み取られ、この後、画像読取位置４２を通過した原稿Ｄ１は溝１１に挿入された原稿すくい部材１０によって不図示の自動原稿送り装置内に搬送される。
【００１１】
ところで、このような従来の画像読取装置においては、例えば原稿画像の読み取りを流し読みから固定読みに切り替える際、イメージセンサ１０１は、図８に示す第１原稿台ガラス５の下方から、第２原稿台ガラス８の下方に移動する。
【００１２】
ここで、流し読みの際、読取精度を確保するためイメージセンサ１０１は、イメージセンサ１０１の焦点距離に合わせた位置に保持されている。また、固定読みの際は、読取精度を確保するため、イメージセンサ１０１は、イメージセンサ１０１の焦点距離に合わせて第２原稿台ガラス８に対して距離を一定に保ちながら移動するようになっている。
【００１３】
このため、図８のような構成の画像読取装置の場合は、図１０に示すように、イメージセンサ１０１に取り付けたスペーサ１９を圧縮コイルバネ１５によって第１原稿台ガラス５及び第２原稿台ガラス８に押し付けるようにしている。これにより、第１原稿台ガラス５及び第２原稿台ガラス８が多少捻じれてもイメージセンサ１０１と、第１原稿台ガラス５及び第２原稿台ガラス８との距離を、イメージセンサ１０１の焦点距離に合わせた距離に保つことができる。
【００１４】
ところで、例えば原稿画像の読み取りを流し読みから固定読みに切り替える際、イメージセンサ１０１は、第１原稿台ガラス５と第２原稿台ガラス８との間に位置する原稿すくい部材９を含む筐体（ステー）１３０の下を通過する。このとき、イメージセンサ１０１が筐体（ステー）１３０に干渉しないようにするため、原稿すくい部材９の下方にはガイド部材４０が設けられている。
【００１５】
そして、このようなガイド部材４０を設けることにより、イメージセンサ１０１が移動する際、スペーサ１９に設けたコロ１７がガイド部材４０に乗り上がって通過するようになる。これにより、イメージセンサ１０１が筐体（ステー）１３０から遠ざかりながら移動するようになり、イメージセンサ１０１が筐体（ステー）１３０に干渉することなく通過する。
【００１６】
【特許文献１】特開２００３−４６７２２号公報
【発明の開示】
【発明が解決しようとする課題】
【００１７】
ところで、近年の画像読取装置は、画像読み取りの高速化のため読み取り走査の速度を上げたり、装置を小型化するため第２原稿台ガラス８の端部近くまで、即ち筐体（ステー）１３０近くまで、固定読み取り領域を広げたりしていることが多い。
【００１８】
このため、イメージセンサ１０１が、例えば流し読み位置から固定読み位置に移動する際、スペーサ１９に設けたコロ１７がガイド部材４０に勢いよく乗り上がって通過するようになる。そして、このようにガイド部材４０を通過すると、スペーサ１９が振動し、その振動が治まらないうちに、第２原稿台ガラス８に接触することがある。
【００１９】
この場合、図１０に示すように、スペーサ１９の振動に伴ってイメージセンサ１０１も矢印Ｘ方向及び矢印Ｙ方向に傾き振動する。ここで、既述したように、固定読取領域を第２原稿台ガラス８の端部近くまで広げているため、イメージセンサ１０１の振動が治まらないうちに、原稿の読み取りが開始される場合があり、この場合には、画像読取振れが発生し、読み取り精度が低下するようになる。
【００２０】
一方、例えば既述した図８に示す構成の画像読取装置の場合、第１原稿台ガラス５、原稿すくい部材９、第２原稿台ガラス８が別部品であることで組立性が煩わしくなり、更に、部品点数が多いことでコストが高くなる欠点があった。さらに、原稿すくい部材９は、図１０に示すように、第１原稿台ガラス５及び第２原稿台ガラス８を固定するガラス固定部材１３１が設けられており、これにより原稿すくい部材９が大型化する。そして、このように原稿すくい部材９が大型化すると、装置も大型化し、コンパクト化が不利になる。
【００２１】
これに対し、既述した図９に示す構成の画像読取装置の場合は、原稿台ガラス２を流し読み取り用及び固定読み取り用の兼用としているので、原稿すくい部材９による支持の必要はなく、このためガイド部材４０も不要となる。
【００２２】
この結果、原稿台ガラス２の底面は平らとなり、イメージセンサ１０１が移動する際、イメージセンサ１０１が振動することはない。しかし、原稿台ガラス２には主走査方向に原稿すくい部材１０を挿入するための溝１１が設けられているため、この部分に応力が集中し、原稿台ガラス２の強度が低下する欠点があった。
【００２３】
つまり、図９に示す構成の画像読取装置の場合、原稿台ガラス２を流し読み取り用及び固定読み取り用の兼用とすることにより、イメージセンサ１０１の振動の発生を防ぐことができるので、画像読取精度を向上させることができる。しかし、原稿すくい部材１０を挿入するための溝１１が設けられていることから原稿台ガラス２が脆弱となる。
【００２４】
そこで、本発明はこのような現状に鑑みてなされたものであり、画像読取精度を向上させ、かつ原稿台ガラス（載置台ガラス）の強度の低下を防ぐことのできる画像読取装置及び画像形成装置を提供することを目的とするものである。
【課題を解決するための手段】
【００２５】
本発明は、シートが載置される載置台ガラスと、シートを前記載置台ガラスに沿って搬送するシート搬送部と、前記載置台ガラスに載置されたシートの画像及び前記シート搬送部により前記載置台ガラスに沿って搬送されるシートの画像を読み取る画像読取手段と、を備えた画像読取装置において、前記シート搬送部により前記載置台ガラスに沿って搬送されるシートの画像を前記画像読取手段が読み取る画像読取位置のシート搬送方向下流側に設けられ、前記画像読取手段により画像が読み取られたシートを前記シート搬送部側に案内するガイド部材を備え、前記ガイド部材を前記載置台ガラスに一体に形成したことを特徴とするものである。
【発明の効果】
【００２６】
本発明のように、シート搬送部により載置台ガラスに沿って搬送されて画像が読み取られたシートをシート搬送部に案内するガイド部材を、載置台ガラスに一体に形成することにより、画像読取精度を向上させ、かつ載置台ガラスの強度の低下を防ぐことができる。
【発明を実施するための最良の形態】
【００２７】
以下、本発明を実施するための最良の形態について図面を用いて詳細に説明する。
【００２８】
図１は、本発明の第１の実施の形態に係る画像読取装置及びこれを備えた画像形成装置の一例である複写機の概略構成を示す図である。この複写機５１は、シートに画像を形成する画像形成部５０等を備えた複写機本体１と、原稿画像を読み取る画像読取装置３３とを備えている。
【００２９】
画像読取装置３３は、流し読み及び固定読みにより原稿画像を読み取るものであり、流し読みの際、原稿Ｄを画像読取位置４２に搬送するためのシート搬送部の一例としての原稿給送装置７が開閉可能に取り付けられている。
【００３０】
この画像読取装置３３は、原稿台ガラス２に載置された原稿の画像及び原稿給送装置７により原稿台ガラス２に沿って搬送される原稿の画像を読み取る、即ち流し読み及び固定読みにより原稿画像を読み取るイメージセンサ１０１を備えている。
【００３１】
そして、このような画像読取装置３３において、例えばユーザによって原稿載置部２０ａに載置された原稿Ｄの画像を流し読みにより読み取る場合は、まず原稿Ｄを給送部２０により１枚ずつ順次分離し、停止状態のレジストローラ対２１に給送する。ここで、原稿Ｄを停止状態のレジストローラ対２１に給送することにより、原稿Ｄは、一旦停止されてループを形成し、これにより斜行が矯正される。
【００３２】
次に、レジストローラ対２１を回転させ、斜行が矯正された原稿Ｄを搬送ローラ対２２に搬送し、この後、搬送ローラ対２２によって載置台ガラスの一例としての原稿台ガラス２に沿って搬送させ、画像読取位置４２を通過させる。そして、この際、原稿表面に形成されている画像が読み取られる。なお、画像読取位置４２を通過した原稿Ｄは、この後、後述する原稿すくい部により原稿給送装置側に案内され、原稿給送装置７に設けられた排出パス１０７を通過して排紙ローラ対２４により排出トレイ２５上に排出される。
【００３３】
一方、固定読みにより画像を読み取る際は、まず自動原稿給送装置７を背面側へ倒して開閉することにより、原稿台ガラス２上に原稿を載置する。そして、このように、原稿台ガラス２上に原稿を載置した後、画像読取手段であるイメージセンサ１０１を副走査方向に移動させることにより、原稿台ガラス２を介して原稿面の画像を読み取るようにしている。なお、原稿台ガラス２は、Ａ３サイズの原稿を載置可能な面積を備えている。
【００３４】
そして、このようにイメージセンサ１０１により、流し読み、又は固定読みにより読み取った画像データを画像形成部５０に送るようにしている。
【００３５】
一方、画像読取装置３３によって読み取られた画像データを受け取った画像形成部５０では、まずＣＰＵ３１が露光手段３７を制御し、露光手段３７から画像データに基づいたレーザ光を感光体ドラム５４に照射して潜像を形成する。次に、感光体ドラム５４に形成された潜像を不図示のトナー供給装置から供給されたトナーによって現像し、トナー像を形成する。
【００３６】
また、このようなトナー像形成動作に並行して、不図示のカセットに収納されたシート、あるいは手差し給紙部５５から手差しされたシートＳが、記録信号に応じて送り出される。この後、シートＳはレジストローラ対５１によって感光体ドラム５４と転写器５６との間へ、タイミングをはかられて搬送される。
【００３７】
これにより、転写器５６によって感光体ドラム５４上のトナー像がシートＳに転写される。この後、トナー像が転写されたシートＳは定着器５７を通過する間に加熱加圧されることにより、トナー像が定着されて排紙トレイ５９に排出される。なお、シートの裏面に画像を形成する場合には、再搬送部５８によりシートを反転させた後、感光体ドラム５４と転写器５６との間へ搬送する。
【００３８】
図２は、画像読取装置３３の画像読取位置付近の構成を示す図である。図２において、３０は、自動原稿給送装置７に設けられ、流し読みの際、原稿Ｄ１をイメージセンサ側へ押圧しながら搬送する搬送ローラである。そして、流し読みの際、原稿Ｄ１は、搬送ローラ３０によりイメージセンサ側に押し付けられながら原稿台ガラス２の上面に沿って移動し、この際、画像読取位置４２の下方に移動しているイメージセンサ１０１により画像が読み取られる。
【００３９】
なお、原稿給送装置７を使用しない固定読みの場合は、イメージセンサ１０１は破線で示す読取開始位置にあり、原稿台ガラス２上に載置された原稿Ｄ２を読み取る際には、この位置から副走査方向に移動する。これにより、原稿台ガラス２上に載置された原稿Ｄ２の画像は、原稿台ガラス２を介してイメージセンサ１０１によって読み取られる。
【００４０】
ところで、図２において、６は原稿台ガラス２に突設され、自動原稿給送装置７により搬送され、イメージセンサ１０１により画像が読み取られたシートをシート搬送方向下流側に案内するガイド部材である原稿すくい部である。なお、この原稿すくい部６は、原稿台ガラス２の、画像読取位置４２のシート搬送方向下流側に、原稿台ガラス２と一体に形成されている。
【００４１】
そして、流し読みにより画像が読み取られた原稿は、この原稿すくい部６によりすくい上げられて自動原稿給送装置内に案内された後、排紙ローラ対２４（図１参照）に向かうようになっている。なお、この原稿すくい部６は、原稿Ｄ１の厚みや大きさに関わらず円滑に画像読み取り後の原稿Ｄ１をすくえるように、緩やかな傾斜を持っており、原稿Ｄ１をすくう際の搬送性に支障のないよう構成されている。
【００４２】
ところで、本実施の形態において、原稿台ガラス２は、固定読みの際、シートが載置される原稿載置部分２Ａと、自動原稿給送装置７により搬送されるシートが、その上面に沿って通過する原稿通過部分２Ｂとを備えている。そして、原稿すくい部６は、原稿台ガラス２の、原稿載置部分２Ａと、原稿通過部分２Ｂとの境となる部分に、原稿台ガラス２と一体に形成されている。
【００４３】
また、原稿すくい部６の原稿載置部分側の略垂直な側面６ａには、固定読みの際、原稿Ｄ２の一端が押し付けられるようになっている。そして、このように原稿すくい部６の側面６ａに原稿Ｄ２の一端を押し付けることにより、固定読みの際の原稿位置が決まるようになっている。
【００４４】
ここで、原稿台ガラス２に原稿すくい部６を一体に形成することにより、従来、別部材とされていた原稿台ガラス２と原稿すくい部材を一部品とすることができる。これにより、原稿台ガラス２のイメージセンサ側の面を平面とすることができ、この結果、原稿すくい部６の真下の原稿台ガラス２には段差がないようにすることができる。
【００４５】
そして、このように原稿台ガラス２のイメージセンサ側の面を平面とすることにより、イメージセンサ１０１が流し読み位置と固定読み位置との間を移動する際、振動することはないので、イメージセンサ１０１の振動による画像精度の低下を防ぐことができる。
【００４６】
また、原稿台ガラス２に原稿すくい部６を一体に形成することにより、組立性が向上すると共に、コストを低減することができる。さらに、原稿すくい部６に、既述した図１０に示す第１原稿台ガラス５及び第２原稿台ガラス８を固定するガラス固定部材１３１も不要となるため、画像読取装置３３のコンパクト化が可能になる。また、本実施の形態のように構成することにより、原稿台ガラス２に細長い溝が設けることもないので、原稿台ガラス２の強度を十分に確保することができる。
【００４７】
また、本実施の形態において、原稿すくい部６は、図３に示すように原稿台ガラス２に対し主走査方向（シート搬送方向と直交する方向）に広域に設けられている。これにより流し読み取られる原稿サイズに関わらず、流し読み後の原稿Ｄ１を確実にすくうことが可能となり、円滑な原稿搬送が可能となる。
【００４８】
このように、原稿台ガラス２に沿って搬送されて画像が読み取られた原稿Ｄ１を自動原稿給送装置７に案内する原稿すくい部６を、原稿台ガラス２に一体に設けることにより、画像読取精度を向上させ、かつ原稿台ガラス２の強度の低下を防ぐことができる。
【００４９】
なお、原稿すくい部６の高さを制限したい場合には、例えば図４に示すように、原稿給送装置７に設けられた原稿受け渡し部１２の先端部に、弾性部材の一例としての原稿すくいガイド部材１３を設けるようにしても良い。
【００５０】
ここで、この原稿すくいガイド部材１３は、原稿給送装置７が閉じられた際、原稿すくい部６のシート搬送方向下流側に位置するようになっている。そして、このような原稿すくいガイド部材１３を設けることにより、原稿給送装置７が閉じられた際、原稿すくい部６によりすくい上げられた原稿Ｄ１を、原稿すくい部６と共に原稿受け渡し部１２を経て原稿給送装置内に確実に案内することができる。
【００５１】
ところで、これまでの説明においては、原稿すくい部６を原稿台ガラス２に一体形成する場合について述べてきたが、本発明はこれに限らない。例えば、原稿台ガラス２とは別体の原稿すくい部を、インサート成形により原稿台ガラス２に一体的に設けるようにしても良い。
【００５２】
次に、このような原稿すくい部をインサート成形により原稿台ガラス２に一体的に設けるようにした本発明の第２の実施の形態について説明する。
【００５３】
図５は、本実施の形態に係る画像読取装置の画像読取位置付近の構成を示す図である。なお、図５において、図２と同一符号は、同一又は相当部分を示している。
【００５４】
図５において、１４は原稿台ガラス２にインサート成形された原稿すくい部材であり、この原稿すくい部材１４は、原稿台ガラス２に部分的に形成された不図示の溝にインサートされて成形されている。なお、この原稿すくい部材１４は、図６に示すように、一方の端部１４ａが固定読み取り時における、原稿Ｄ２の載置の基準位置を兼ねるようにしても良い。
【００５５】
また、これまでの説明においては、原稿すくい部６を、既述した図３に示すように原稿台ガラス２に対し主走査方向に広域に設けるようにしたが、本発明は、これに限らない。例えば、図７の（ａ）に示すように、原稿すくい部６を主走査方向に、部分的に配置するようにしても良い。そして、このように原稿すくい部６を部分的に配置することにより、コストの低減が可能となる。
【００５６】
ここで、このように原稿すくい部６を部分的に配置する場合、下流側に位置する排紙ローラ対２４（図１参照）のローラニップ部と同じ位置に設けることが好ましい。そして、このような位置に原稿すくい部６を配置することにより、流し読み取られる原稿サイズに関わらず、円滑な原稿搬送が実現できる。
【００５７】
また、原稿すくい部６を部分的に配置すると共に、図７の（ｂ）に示すように、原稿すくい部６の一方の側面を傾斜させ、原稿すくい部６の原稿と当接する当接部６ｂのシート接触面積を少なくするようにしている。そして、このように構成することにより、原稿すくい部６を通過する際の原稿の抵抗を低減することができ、より確実に原稿をすくうことができる。
【図面の簡単な説明】
【００５８】
【図１】本発明の第１の実施の形態に係る画像読取装置及びこれを備えた画像形成装置の一例である複写機の概略構成を示す図。
【図２】上記画像読取装置の画像読取位置付近の構成を示す図。
【図３】上記画像読取装置の原稿台ガラスに設けられた原稿すくい部を説明する斜視図。
【図４】上記画像読取装置の画像読取位置付近の他の構成を示す図。
【図５】本発明の第２の実施の形態に係る画像読取装置の画像読取位置付近の構成を示す図。
【図６】上記画像読取装置の画像読取位置付近の他の構成を示す図。
【図７】上記画像読取装置の原稿台ガラスに設けられた原稿すくい部の構成を説明する斜視図。
【図８】従来の画像読取装置の構成を示す図。
【図９】従来の他の画像読取装置の構成を示す図。
【図１０】上記従来の画像読取装置の画像読取位置付近の構成を示す拡大図。
【符号の説明】
【００５９】
１        複写機本体
２        原稿台ガラス
６        原稿すくい部
６ａ      原稿すくい部の側面
６ｂ      原稿すくい部の当接面
７        原稿給送装置
１２      原稿受け渡し部
１３      原稿すくいガイド部材
１４      原稿すくい部材
１４ａ    原稿すくい部材の端部
３３      画像読取装置
４２      画像読取位置
５０      画像形成部
５１      複写機
１０１    イメージセンサ
Ｄ        原稿
【図１】
2009159128.tif 000003
【図２】
2009159128.tif 000004
【図３】
2009159128.tif 000005
【図４】
2009159128.tif 000006
【図５】
2009159128.tif 000007
【図６】
2009159128.tif 000008
【図７】
2009159128.tif 000009
【図８】
2009159128.tif 000010
【図９】
2009159128.tif 000011
【図１０】
2009159128.tif 000012